(57)【要約】      （修正有）【課題】複数の作業者が介在する一連の業務を行う際に個別のシステムを構築することなく、メッセージの通信を可能とする業務メッセージ通信方法及び業務メッセージ通信システムを提供する。【解決手段】メッセージ表示装置１０４が、個々の作業者に対応したメッセージを、クライアント１１１に向けて送信する。クライアント１１１は、表示されたメッセージの中から特定のメッセージを選択する。作業者制御装置１０５は、選択されたメッセージに基づいて業務システム起動装置１０６により業務システム１０８を起動する。業務システム１０８は、業務を行い、業務完了後、メッセージ送信装置１１０により、次の業務のためのメッセージキーを送信する。メッセージ制御装置１０３はメッセージ実行データに新規メッセージを保存する。メッセージ表示装置１０４は、クライアント１１１を用いて他の作業者へメッセージの表示、業務連携を行う。【選択図】図５
2006155105.tif 000002
【特許請求の範囲】
【請求項１】
一連の作業を行うためのクライアントと、前記クライアントにおける作業の指示に基づいて業務を実行する業務システムと、前記クライアントと前記業務システムとに接続して前記一連の作業間でメッセージの通信を行う業務メッセージ通信装置とを具備する業務メッセージ通信システムにおける業務メッセージ通信方法であって、
前記クライアントからの業務メッセージ選択指示に基づいて、前記業務メッセージ通信装置が前記業務メッセージ選択指示に対応する前記業務システムを起動する業務システム起動ステップと、
前記業務メッセージ通信装置が、前記業務システムからの業務完了通知信号の受信に基づいて、以降の業務に必要な情報を含む新たな業務メッセージを生成して記憶するメッセージ蓄積ステップと
を具備する業務メッセージ通信方法。
【請求項２】
請求項１に記載の業務メッセージ通信方法において、
前記業務メッセージ通信装置は、メッセージ制御部と、メッセージ表示部と、メッセージ蓄積部とを備え、
前記業務システムは、メッセージ送信部を備え、
前記業務システム起動ステップは、前記業務メッセージ通信システムの起動に基づいて、前記メッセージ表示部が前記メッセージ蓄積部からメッセージを読み込み、前記メッセージの送信先となる前記クライアントに前記メッセージを送信するメッセージ送信ステップと、前記メッセージの受信に基づいて、前記クライアントが前記メッセージの中から特定のメッセージを選択して前記特定のメッセージの処理を開始する指示を含む開始信号を前記メッセージ表示部に送信する開始信号送信ステップと、前記メッセージ表示部が前記開始信号を受信し、前記開始信号に含まれる情報に基づいて、前記情報に対応した業務システムを起動する起動ステップとを備え、
前記メッセージ蓄積ステップは、前記メッセージ制御部が、前記メッセージ送信部から送信される前記業務システムにおける業務の完了を知らせる業務完了信号の受信に基づいて、以降の業務の実行に必要な情報を含む新たな業務メッセージを生成するメッセージ生成ステップと、前記メッセージ制御部が、前記メッセージ生成ステップで生成された前記新たな業務メッセージを前記メッセージ蓄積部に記憶する蓄積ステップとを備える
業務メッセージ通信方法。
【請求項３】
請求項２に記載の業務メッセージ通信方法において、
前記開始信号に含まれる情報は、業務仕分けを示す業務情報と、業務権限を示す業務情報アクセスタイプ情報とを具備する業務メッセージ通信方法。
【請求項４】
請求項２または３に記載の業務メッセージ通信方法において、
前記以降の業務の実行に必要な情報は、業務仕分けを示す業務情報と、送信先情報とを具備する業務メッセージ通信方法。
【請求項５】
請求項１から４までのいづれか一項に記載の業務メッセージ通信方法において、
前記業務システムは複数である
業務メッセージ通信方法。
【請求項６】
請求項１から５までのいづれか一項に記載の業務メッセージ通信方法において、
前記クライアントはパーソナルコンピュータ（ＰＣ）である
業務メッセージ通信方法。
【請求項７】
一連の作業を行うためのクライアントと、前記クライアントにおける作業の指示に基づいて業務を実行する業務システムと、前記クライアントと前記業務システムとに接続して前記一連の作業間でメッセージの通信を行う業務メッセージ通信装置とを具備し、
前記クライアントからの業務メッセージ選択指示に基づいて、前記業務メッセージ通信装置が前記業務メッセージ選択指示に対応する前記業務システムを起動し、前記業務システムは、業務の完了に基づいて前記業務メッセージ通信装置に業務完了通知信号を送信し、前記業務メッセージ通信装置は、前記業務完了通知信号の受信に基づいて、以降の業務に必要な情報を含む新たな業務メッセージを生成して蓄積する業務メッセージ通信システム。
【請求項８】
請求項７に記載の業務メッセージ通信システムにおいて、
前記業務メッセージ通信装置は、メッセージ制御部と、メッセージ表示部と、メッセージ蓄積部とを備え、前記業務システムは、メッセージ送信部を備え、
前記業務メッセージ通信システムの起動に基づいて、前記メッセージ表示部は前記メッセージ蓄積部からメッセージを読み込み、前記メッセージの送信先となる前記クライアントに前記メッセージを送信し、前記メッセージの受信に基づいて、前記クライアントは前記メッセージの中から特定のメッセージを選択して前記特定のメッセージの処理を開始する指示を含む開始信号を前記メッセージ表示部に送信し、前記メッセージ表示部は前記開始信号を受信し、前記開始信号に含まれる情報に基づいて前記情報に対応した前記業務システムを起動し、前記メッセージ送信部は前記業務システムにおける業務が完了すると前記メッセージ制御部に業務の完了を知らせる業務完了信号を送信し、前記メッセージ制御部は、前記業務完了信号の受信に基づいて以降の業務の実行に必要な情報を含む新たな業務メッセージを生成し、さらに前記メッセージ制御部は、前記新たな業務メッセージを前記メッセージ蓄積部に記憶する業務メッセージ通信システム。
【請求項９】
請求項７または８に記載の業務メッセージ通信システムにおいて、
前記業務システムは複数である業務メッセージ通信システム。
【請求項１０】
請求項７から９までのいづれか一項に記載の業務メッセージ通信システムにおいて、
前記クライアントはパーソナルコンピュータ（ＰＣ）である業務メッセージ通信システム。
【請求項１１】
請求項７から１０までのいづれか一項に記載の業務メッセージ通信システムに備わる業務メッセージ通信装置。
【請求項１２】
請求項１から６までのいずれかに記載の前記業務メッセージ通信装置の機能を実現するためのコンピュータ読み込み可能なプログラム。
【発明の詳細な説明】
【技術分野】
【０００１】
本発明は、複数の作業者が介在する一連の業務を行う際に個別のシステムを構築することなく、連続した業務間において関連データを含むメッセージの通信を可能にする業務メッセージ通信方法及び業務メッセージ通信システムに関する。
【背景技術】
【０００２】
従来、業務システムにおいて作業者間のメッセージおよび業務関連データの伝達は、物理的な帳票や、電子メールといった直接業務システムとは切り離された媒体および手段を用いて行われてきた。このため、作業者の伝達ミスや入力ミスによる業務の後戻りを発生させ、業務の進捗情報をリアルタイムに把握することが難しい問題があった。これを自動化するためには、都度個別システムの構築が必要となり多大なコストや時間を必要とした。
【０００３】
上記した技術分野に関連して、以下に示すような報告がなされている。
【０００４】
特開平１１−３０６０９８号公報に開示されている「メッセージ処理装置、メッセージ管理方法及びメッセージ管理プログラムを記録した記録媒体」におけるメッセージ処理装置は、メッセージの受信、完了状態を把握するシステムである。複数の端末装置がＬＡＮ等の回線網を介してサーバ装置に接続されている。サーバのメッセージ処理プログラムは、端末装置におけるメッセージの作成、発信機能、受信メッセージの一覧、発信メッセージの一覧、受信メッセージ等の表示機能を有している。メッセージファイルは、メッセージの発信者側の情報が記憶されるファイルであり、発信者ＩＤ、メッセージのタイトル、メッセージ内容等が記憶される。メッセージ管理テーブルは、メッセージの受信者側の情報が記憶されるテーブルであり、受信者ＩＤ、完了日時、メッセージに対するコメント等が記憶される。メンバーテーブルは、メッセージの送信先となるメンバーに関する情報が記憶されるテーブルであり、メンバーＩＤ、氏名、所属グループ等が記憶される。
【０００５】
しかし、開示されている当該技術には、次のような問題点があった。第一の問題点は、メッセージの受け渡しを行う上でその業務に必要な関連データ（メッセージキー）の伝達ができないことである。その理由は、従来のメッセージ処理システムでは、業務を行う上での関連データの受け渡しについて何ら考慮されていないためである。第二の問題点は、複数の作業者が介在する一連の業務間でメッセージの送信時の送信先の選定が自動化できないことである。その理由は、従来のメッセージ処理システムでは、メッセージの送信先については作業者が選定することを前提としているため、定型的な業務プロセス等においての自動化について何ら考慮されていないためである。第三の問題点は、複数の作業者が介在する一連の業務間で各々の業務の開始時に作業者に対して同様なデータの入力を必要とさせてしまうことである。その理由は、従来のメッセージ処理システムでは、この作業者の入力の手間に対してなんら考慮されていないためである。第四の問題点は、複数の業務間のシステム化されていない部分をシステム化することによる工数の増大である。第五の問題点は、第四の問題点に伴い、業務変更時の個別システム変更による工数の増大がある。また、第六の問題点として、システム間をまたがった業務プロセスの進捗状況を作業者からの都度の報告無しに自動的に把握できない。
【０００６】
また、特開２００１−１７５７８２号公報に開示されている「自立型電文システム」では、電文に電文自身がどのような動きをすれば良いかが分かるフロー定義情報及びフローステータス情報とそれを解析することができるプログラムが添付されている自律型電文システムが提案されている。
【０００７】
また、特開２００２−３７３２３４号公報に開示されている「予定管理方法およびシステム」では、複数の作業者が管理する作業者端末と、複数の工程からなる業務のワークフローを管理した予定管理コンピュータをネットワークを介して接続し、複数の作業者により行われる業務の予定管理を行うための方法であって、作業者が自分の作業が終了した際に、自分の作業が終了した旨の情報を作業者端末より送信する段階と、予定管理コンピュータが、作業が終了した旨の情報を用いてワークフローを参照することにより、次の工程の作業を行う作業者を特定し、特定された作業者の作業者端末に、前の工程の作業が終了した旨の情報を送信する段階と、を備えた予定管理方法が提案されている。
【０００８】
また、特開平０６−１３１１３８号公報に開示されている「対話型業務プログラム呼び出し方式」では、情報処理装置の上の対話型情報処理プログラムにより、端末装置との対話処理を実現する対話型情報処理システムの対話型業務プログラム呼び出し方式において、端末装置制御プログラムに、端末装置からのメッセージを受信するメッセージ受信手段と、受信したメッセージを特定の対話型業務プログラムに伝達するメッセージ伝達手段と、対話型情報処理プログラムからのメッセージをあたかも端末装置から受信したように扱うメッセージ疑似受信手段と、対話型業務プログラムによる端末装置の使用状態を記憶する端末装置状態表と、端末装置状態表のプログラム使用状態を変更する使用状態変更手段と、メッセージに対応する対話型業務プログラムを記憶するプログラム対応表とを有するとともに、対話型情報処理プログラムに、対話型業務プログラムの呼び出し指示を検出する呼び出し指示検出手段と、呼び出し指示を対応するメッセージに変換するメッセージ変換手段と、呼び出し指示に対応するメッセージを記憶するメッセージ登録表とを有する対話型業務プログラム呼び出し方式が報告されている。
【０００９】
また、特開平１１−１４９３８３号公報に開示されている「プロセス間通信制御装置」では、複数の業務プロセスが互いに通信し合いながら協調動作するマルチプロセス機能を有したデータ処理システムに設けられるプロセス間通信制御装置において、各業務プロセスを個々に通信可能に接続する複数のプロセス間通信手段と、各プロセス間通信手段にそれぞれ接続された業務プロセスの識別情報をそのプロセス間通信手段の識別情報と対応付けて記憶する記憶手段と、各プロセス間通信手段にそれぞれ接続された業務プロセスからプロセス間通信用メッセージ伝文を受信する受信手段と、この受信手段によりいずれかの業務プロセスからプロセス間通信用メッセージ伝文を受信するとそのメッセージ伝文に含まれる送信先プロセスの識別情報で記憶手段を検索して当該送信先プロセスの識別情報に対応するプロセス間通信手段の識別情報を取得する情報取得手段と、この情報取得手段により取得した識別情報で識別されるプロセス間通信手段に接続された業務プロセスに受信手段により受信したプロセス間通信用メッセージ伝文を転送するメッセージ通信制御手段と、このメッセージ通信制御手段により業務プロセス間を通信されたプロセス間通信用メッセージ伝文の内容をリアルタイムに可視化出力する通信監視手段とを具備するプロセス間通信制御装置が報告されている。
【００１０】
また、特開平１１−２０３３３４号公報に開示されている「プラント設計用ワークフロー管理装置」では、プラントの設計作業を複数の部門で連携して進め、各部門でネットワークに接続された各入出力端末上で設計作業を行い、設計作業で作成した書類データを格納し、格納した書類データをあらかじめ定義した作業の流れに沿って各入出力端末に配送するワークフロー機能を有するプラント設計用ワークフロー管理装置であって、ワークフローの機能を実現するための管理情報を有する管理情報データベースと、書類データを格納する書類データベースと、ワークフロー機能を制御するワークフロー制御手段と、を備え、管理情報データベースには、プラントを設計するときの必須の作業名があらかじめ定義され、各作業は当該作業を行うために必要となる入手書類と作業を実行したときの発行書類を属性として持ち、作業を行う作業者を関連付けされ、作業者に対して所属する部門とこの部門が設計担当する製品を階層的に関連付けされた管理情報を有し、書類データベースには、書類データと、作業者が作成完了した書類に属性としての、書類名、作成者、作成日時、状態を含む作成情報と、を有し、ワークフロー制御手段は、ワークフロー管理装置への作業者からの接続時に、書類データベースに格納されている書類と当該作成情報と管理情報データベースの管理情報を照合し、接続した作業者の担当する作業を実行するために必要な書類がある場合には、書類を受け取り、作業の実行を促すようなメッセージを当該作業者に対して出力し、必要な書類がない場合には、書類の作成担当作業者を管理情報より調べて該当作業者に対して書類作成の催促を行うような制御を行い、管理情報データベースの内容を読み込み、変更するための情報読み込み手段および情報書き込み手段と、作業者が作成完了した書類に属性としての作成情報を付して書類データベースに格納し、取り出す情報受信手段および情報発信手段と、を設けるプラント設計用ワークフロー管理装置が報告されている。
【００１１】
【特許文献１】特開平１１−３０６０９８号公報
【特許文献２】特開２００１−１７５７８２号公報
【特許文献３】特開２００２−３７３２３４号公報
【特許文献４】特開平０６−１３１１３８号公報
【特許文献５】特開平１１−１４９３８３号公報
【特許文献６】特開平１１−２０３３３４号公報
【発明の開示】
【発明が解決しようとする課題】
【００１２】
本発明の目的は、業務メッセージ通信方法及び業務メッセージ通信システムを提供することである。
【課題を解決するための手段】
【００１３】
以下に、［発明を実施するための最良の形態］で使用する括弧付き符号を用いて、課題を解決するための手段を説明する。これらの符号は、［特許請求の範囲］の記載と［発明を実施するための最良の形態］の記載との対応関係を明らかにするために付加されたものであるが、［特許請求の範囲］に記載されている発明の技術的範囲の解釈に用いてはならない。
【００１４】
本発明の業務メッセージ通信方法は、一連の作業を行うためのクライアント（１１１）と、クライアントにおける作業の指示に基づいて業務を実行する業務システム（１０８）と、クライアントと業務システムとに接続して一連の作業間でメッセージの通信を行う業務メッセージ通信装置（１００）とを備える業務メッセージ通信システム（１５０）における業務メッセージ通信方法であって、クライアントからの業務メッセージ選択指示に基づいて、業務メッセージ通信装置が業務メッセージ選択指示に対応する業務システムを起動する業務システム起動ステップと、業務メッセージ通信装置が、業務システムからの業務完了通知信号の受信に基づいて、以降の業務に必要な情報を含む新たな業務メッセージを生成して記憶するメッセージ蓄積ステップとを備える。
【００１５】
また、本発明の業務メッセージ通信方法において、業務メッセージ通信装置（１００）は、メッセージ制御部（１０３）と、メッセージ表示部（１０４）と、メッセージ蓄積部（１０２）とを備え、業務システム（１０８）は、メッセージ送信部（１１０）を備え、業務システム起動ステップは、業務メッセージ通信システム（１５０）の起動に基づいて、メッセージ表示部がメッセージ蓄積部からメッセージを読み込み、メッセージの送信先となるクライアント（１１１）にメッセージを送信するメッセージ送信ステップと、メッセージの受信に基づいて、クライアントがメッセージの中から特定のメッセージを選択して特定のメッセージの処理を開始する指示を含む開始信号をメッセージ表示部に送信する開始信号送信ステップと、メッセージ表示部が開始信号を受信し、開始信号に含まれる情報に基づいて、情報に対応した業務システムを起動する起動ステップとを備え、メッセージ蓄積ステップは、メッセージ制御部が、メッセージ送信部から送信される業務システムにおける業務の完了を知らせる業務完了信号の受信に基づいて、以降の業務の実行に必要な情報を含む新たな業務メッセージを生成するメッセージ生成ステップと、メッセージ制御部が、メッセージ生成ステップで生成された新たな業務メッセージをメッセージ蓄積部に記憶する蓄積ステップとを備える。
【００１６】
また、本発明の業務メッセージ通信方法において、開始信号に含まれる情報は、業務仕分けを示す業務情報と、業務権限を示す業務情報アクセスタイプ情報とを備える。
【００１７】
また、本発明の業務メッセージ通信方法において、以降の業務の実行に必要な情報は、業務仕分けを示す業務情報と、送信先情報とを備える。
【００１８】
また、本発明の業務メッセージ通信方法において、業務システム（１０８）は複数である。
【００１９】
また、本発明の業務メッセージ通信方法において、クライアント（１１１）はパーソナルコンピュータ（ＰＣ）である。
【００２０】
また、本発明の業務メッセージ通信システム（１５０）は、一連の作業を行うためのクライアント（１１１）と、クライアントにおける作業の指示に基づいて業務を実行する業務システム（１０８）と、クライアントと業務システムとに接続して一連の作業間でメッセージの通信を行う業務メッセージ通信装置（１００）とを備え、クライアントからの業務メッセージ選択指示に基づいて、業務メッセージ通信装置が業務メッセージ選択指示に対応する業務システムを起動し、業務システムは、業務の完了に基づいて業務メッセージ通信装置に業務完了通知信号を送信し、業務メッセージ通信装置は、業務完了通知信号の受信に基づいて、以降の業務に必要な情報を含む新たな業務メッセージを生成して蓄積する。
【００２１】
また、本発明の業務メッセージ通信システム（１５０）において、業務メッセージ通信装置（１００）は、メッセージ制御部（１０３）と、メッセージ表示部（１０４）と、メッセージ蓄積部（１０２）とを備え、業務システム（１０８）は、メッセージ送信部（１１０）を備え、業務メッセージ通信システムの起動に基づいて、メッセージ表示部はメッセージ蓄積部からメッセージを読み込み、メッセージの送信先となるクライアント（１１１）にメッセージを送信し、メッセージの受信に基づいて、クライアントはメッセージの中から特定のメッセージを選択して特定のメッセージの処理を開始する指示を含む開始信号をメッセージ表示部に送信し、メッセージ表示部は開始信号を受信し、開始信号に含まれる情報に基づいて情報に対応した業務システムを起動し、メッセージ送信部は業務システムにおける業務が完了するとメッセージ制御部に業務の完了を知らせる業務完了信号を送信し、メッセージ制御部は、業務完了信号の受信に基づいて以降の業務の実行に必要な情報を含む新たな業務メッセージを生成し、さらにメッセージ制御部は、新たな業務メッセージをメッセージ蓄積部に記憶する。
【００２２】
また、本発明の業務メッセージ通信システム（１５０）に係わる業務システム（１０８）は複数である。
【００２３】
また、本発明の業務メッセージ通信システム（１５０）に係わるクライアント（１１１）はパーソナルコンピュータ（ＰＣ）である。
【００２４】
また、本発明の業務メッセージ通信装置（１００）は、請求項７から１０までのいづれか一項に記載の業務メッセージ通信システム（１５０）に備わる。
【００２５】
また、本発明のプログラムは、請求項１から６までのいずれかに記載の業務メッセージ通信装置（１００）の機能を実現し、コンピュータ読み込み可能である。
【発明の効果】
【００２６】
本発明により、業務メッセージ通信方法及び業務メッセージ通信システムを提供することができる。これにより、以下の作用効果を実現する。
【００２７】
（１）本発明に係わる、業務メッセージ通信方法及び業務メッセージ通信システムにおいては、業務プロセスの変化や組織変更といった環境の変化に対して、その都度個別のシステムの構築が必要にならない。業務プロセスの変更によるシステムの修正は、本装置に設定するデータを変更することで可能となる。本発明は、このような業務プロセスの変更要求に対して、迅速に対応する仕組みを提供することができる。
【００２８】
（２）また、作業者の作業リストをメッセージの一覧として表示でき、作業の抜け漏れを無くすことができる。
【００２９】
（３）また、業務上必要な情報の伝達に関してメッセージ中にそのデータを添付しメッセージを送信（次の作業者に業務を依頼）することでペーパーレス化、業務の効率化を実現する。
【００３０】
（４）また、メッセージキーにより次の作業者の操作ステップを軽減することができる。
【００３１】
（５）また、メッセージキーの値またはそこから導出される業務システムデータの値によりメッセージ自動分岐または作業者による送信先選定を実現することで、伝達ロスや作業者による伝達先間違いを無くすことができる。
【００３２】
（６）また、メッセージ送信した履歴より一連の業務プロセスの状態を参照することにより、エンドユーザに対して精度の高い納期回答等の情報を提供することができる。
【発明を実施するための最良の形態】
【００３３】
添付図面を参照して、本発明による業務メッセージ通信方法及び業務メッセージ通信システムを実施するための最良の形態を以下に説明する。
【００３４】
本発明の実施の形態に係わる業務間メッセージによる業務メッセージ通信方法及び業務メッセージ通信システムは、業務連携のためのメッセージ制御並びに業務システム連携を行う。本発明の実施の形態においては、
（１）業務メッセージ通信装置を備えた業務メッセージ通信システムが起動すると、業務メッセージ通信装置が業務メッセージ通信装置に備わるメッセージ蓄積部からメッセージを読み出す。そして、業務メッセージ通信装置に接続されているクライアント（一般にはパーソナルコンピュータ）に対象となる作業者に向けたメッセージを送信する。
【００３５】
（２）クライアントで受信されたメッセージに基づいて、メッセージの中から処理対象となるメッセージが指定される。クライアントは、選択されたメッセージの処理を開始する指示を業務メッセージ通信装置に送信する。
【００３６】
（３）業務メッセージ通信装置は、処理を開始する指示の信号を受信し、信号に含まれるメッセージの指定に基づいて業務メッセージ通信装置に接続された対応する業務システムを起動する。
【００３７】
（４）起動された業務システムにおいて一連の業務が完了すると、業務システムは業務メッセージ通信装置に向けて業務の完了を知らせる信号を送信する。そして、業務メッセージ通信装置は、業務の完了を知らせる信号の受信に基づいて次の業務の実行に必要な情報を含む新たなメッセージを生成する。
【００３８】
（５）業務メッセージ通信装置は、生成した新たなメッセージをメッセージ蓄積部に記憶する。
【００３９】
（本発明の実施の形態１）
図１は、本発明の実施の形態に係わる業務メッセージ通信装置を備えた業務メッセージ通信システムの概略構成を示す。本実施の形態に係わる業務メッセージ通信システム１５０は、業務毎の業務システム１０８に備えられたメッセージ送信装置１１０と、クライアント（一般にはパーソナルコンピュータ）１１１と、メッセージ履歴表示器１１２と、業務メッセージ通信装置１００とを備えている。業務システム１０８は、各業務毎に個別に構築されており、作業者の業務内容に基づいて、各業務システム１０８に係わる業務システムデータ１０９との間においてデータの送受信を行う。
【００４０】
業務メッセージ通信装置１００は、メッセージの制御情報が格納されたメッセージ制御ファイル１０１、クライアント１１１に送信されたメッセージの情報が格納されるメッセージ実行データ１０２、メッセージの送信制御を行うメッセージ制御装置１０３、送信されたメッセージを作業者毎に表示するメッセージ表示装置１０４、業務毎に作業者を識別する作業者制御装置１０５、作業者のアクセスする業務システム１０８を起動する業務システム起動装置１０６、一連の業務プロセスに係わる複数の作業者が登録された作業者定義ファイル１０７、ＣＰＵ１１７、業務メッセージ通信装置１００を動作させるための業務メッセージ通信プログラムを格納したメモリ１１８、そしてインターフェース部１１６を備えている。業務メッセージ通信装置１００に備えられるそれぞれの装置、データおよびファイルは、バスライン１１５を介して接続されている。業務メッセージ通信装置１００と、業務メッセージ通信装置１００外部に設置されている業務システム１０８、メッセージ送信装置１１０、クライアント１１１、およびメッセージ履歴表示器１１２との間における信号の入出力はインタフェース部１１６を介して行われる。
【００４１】
メッセージ制御ファイル１０１の実施の形態を図２に示す。メッセージ制御ファイル１０１は、当該業務がスタートする時点で予め作成されて、業務メッセージ通信装置１００内に格納される。メッセージ制御ファイル１０１は、図２に示されるように、業務関係マスタ２１０（元業務コード、先業務マスタ、メッセージコード、条件、送信方式、ラインフラグ）、メッセージマスタ２２０（メッセージコード、送信側メッセージ表現、受信側メッセージ表現、納期、メールコード）、業務マスタ２３０（業務コード、業務名）、グループ常設業務マスタ２４０（業務グループコード、仕分けグループコード、業務コード、表示順）、業務仕分けマスタ２５０（業務グループコード、仕分けグループコード、仕分けグループ名、閉フラグ）、グループ受信業務マスタ２６０（業務グループコード、業務コード、表示順）、業務グループマスタ２７０（業務グループコード、業務グループ名）、管理キーリンクマスタ２８０（業務コード、管理キークラスコード、送受信タイプ）、管理キーマスタ２９０（管理キークラスコード、管理キー連番、テーブル名、カラム名）、業務処理マスタ３００（業務コード、業務処理コード、業務処理名、表示順）、画面マスタ３１０（業務コード、業務処理コード、画面番号、親画面番号、画面ＵＲＬ，画面名、メッセージ発行フラグ）を備えている。
【００４２】
メッセージ実行データ１０２の実施の形態を図３に示す。メッセージ実行データ１０２は、メッセージテーブル５００（プロセスＩＤ，メッセージコード、送信側メッセージ表現、受信側メッセージ表現、業務コード、業務名、管理データＩＤ，親メッセージＩＤ，発行元業務グループコード、発行元業務コード、発行元業務グループ名、発行元業務名、発行元コード、発行者名、備考、進捗状態、納期、表示レベル、ロック状態、完了フラグ、削除フラグ）、管理キーテーブル５１０（管理データＩＤ，管理キークラスコード、管理キークラス連番、管理キー連番、テーブル名、カラム名、値、データタイプ）を備えている。
【００４３】
メッセージ制御装置１０３は、業務システム１０８を利用する作業者の操作により、メッセージ送信装置１１０からメッセージ送信情報を受信する。そして、受信したメッセージ送信情報に基づいて、メッセージ制御ファイル１０１から対応したメッセージ制御情報を読込む。さらに、作業者制御装置１０５の制御情報に基づいて、メッセージ実行データ１０２を生成する。作業者制御装置１０５は、作業者定義ファイル１０７を読込み、メッセージ制御ファイル１０１の情報に基づいて、メッセージを送信するメッセージ制御装置１０３に対して対象作業者の業務リスト情報を送信する。
【００４４】
作業者定義ファイル１０７は、当該業務がスタートする時点で予め作成されて、業務メッセージ通信装置１００内に格納される。そして、ユーザマスタ６００（ユーザコード、ユーザ名、パスワード、会社コード、部コード、役職コード、主業務、メールアドレス）、所属マスタ６１０（業務グループコード、ユーザコード）を備えている。
【００４５】
作業者制御装置１０５は、作業者が作業を実施する業務システム１０８を起動する業務システム起動装置１０６に対して、対応作業者の業務システムアクセスタイプを送信する。ここで、業務システムアクセスタイプとは、業務システム１０８に対して対応作業者がアクセスできる権限である。図４に示される作業者定義ファイル１０７に備えられている、ユーザマスタ６００中の「部コード」および「役職コード」がこれに対応する。メッセージ表示装置１０４は、メッセージ実行データ１０２を読込み、作業者制御装置１０５から送信された作業者の業務システムアクセスタイプに基づいてクライアント１１１に向けて対応するメッセージを送信する。
【００４６】
業務システム起動装置１０６は、メッセージ表示装置１０４から作業者の行う業務情報（作業者定義ファイル１０７の所属マスタ６１０に格納されている業務権限に関する業務グループコード等）と、作業者制御装置１０５から送信される業務システムアクセスタイプ情報とに基づいて、対応する業務システム１０８を起動する。
【００４７】
メッセージ送信装置１１０は、業務システム１０８から次の業務を行う作業者へ、現在の業務の完了を通知するためのメッセージ情報および現在の業務に関連するデータを送信するための指示をメッセージ制御装置１０３へ向けて送信する。
【００４８】
メッセージ履歴表示器１１２は、メッセージ実行データ１０２を読込み、業務単位および時系列にソートを行う。そして、対象業務毎に一連の業務プロセスの進捗状況を時系列表示する。
【００４９】
（実施の形態の動作フロー）
初めに、図１に示された本実施の形態の構成、および図５に示された本実施の形態における信号の流れおよびデータの流れに基づいて、本実施の形態の全体の動作原理を概説する。
【００５０】
（Ａ）業務メッセージ通信システム１５０が起動すると、ＣＰＵ１１７は、バスライン１１５を介して業務メッセージ通信装置１００のメモリ１１８内に格納されている業務メッセージ通信プログラムを読み込んで実行する。
【００５１】
業務メッセージ通信プログラムが実行されると、メッセージ表示装置１０４は、クライアント（パーソナルコンピュータ）１１１におけるオペレーションの業務内容に対応する業務一覧メッセージをメッセージ実行データ１０２から読み込み、クライアント１１１に向けて当該メッセージを送信する。
【００５２】
（Ｂ）クライアント１１１で受信された当該メッセージに基づいて、メッセージの中から処理対象となるメッセージが指定される。そして、クライアント１１１は選択されたメッセージの処理を開始する指示をメッセージ制御装置１０３に向けて送信する。
【００５３】
（Ｃ）メッセージ制御装置１０３は、処理を開始する指示の信号を受信し、信号に含まれるメッセージの指定に基づいて作業者制御装置１０５に対して対象業務リストの抽出をさせる指示信号を送信する。
【００５４】
（Ｄ）作業者制御装置１０５は、作業者定義ファイル１０７を読み込み、メッセージ制御ファイル１０１の当該情報に基づいて業務システム起動装置１０６に業務システムアクセス情報を送信する。
【００５５】
（Ｅ）そして、業務システム起動装置１０６は、作業者制御装置１０５からの業務システムアクセス情報と、メッセージ表示装置１０４からの業務情報とに基づいて対応する業務システム１０８を起動する。
【００５６】
（Ｆ）業務システム１０８において一連の業務が完了すると、当該業務システム１０８が、メッセージ制御装置１０３に業務の完了を知らせる信号を送信する。そして、メッセージ制御装置１０３において、業務の完了を知らせる信号の受信に基づいて、次の業務の実行に必要な情報を含む新たなメッセージを生成する。
【００５７】
（Ｇ）メッセージ制御装置１０３は、生成した新たなメッセージをメッセージ実行データ１０２に記憶する。
【００５８】
本実施の形態においては、業務メッセージ通信装置１００全体の動作を制御する業務メッセージ通信プログラムがメモリ１１８に格納されている。また、メッセージ制御装置１０３、メッセージ表示装置１０４、作業者制御装置１０５、および業務システム起動装置１０６それぞれの制御プログラムは対応する装置内の図示せぬ記憶部に格納されており、それぞれの装置に備えられている図示せぬＣＰＵによりそれぞれ対応するプログラムが実行されている。
【００５９】
業務メッセージ通信プログラムが実行されると、それぞれの装置に備えられている制御プログラムが起動して、それぞれの装置の動作を制御する。しかし、ＣＰＵ１１７の演算処理速度およびメモリ１１８の記憶容量によっては、それぞれの装置に個別に格納されていた図示せぬＣＰＵ、および記憶部の制御用プログラムは、全てＣＰＵ１１７で代用、およびメモリ１１８に記憶させることができる。これにより、業務メッセージ通信装置１００の構成を簡素化することができる。
【００６０】
以下に、本発明の実施の形態に係わる業務メッセージ通信装置１００を備えた業務メッセージ通信システム１５０の動作フローを、業務メッセージ通信装置１００（メッセージ制御装置１０３、メッセージ表示装置１０４、作業者制御装置１０５、業務システム起動装置１０６）、メッセージ送信装置１１０、クライアント１１１、およびメッセージ履歴表示器１１２毎にフローチャートを参照にして詳細に説明する。
【００６１】
図６に、メッセージ表示装置１０４の動作フローを示す。業務メッセージ通信システム１５０が起動すると、業務メッセージ通信装置１００のメッセージ表示装置１０４は、アクセスしている作業者に関連した当該メッセージをメッセージ実行データ１０２から読み込む（ステップＳ１２）。また、メッセージ表示装置１０４は、作業者制御装置１０５から当該作業者の対象業務リストを抽出する（ステップＳ１３）。作業者制御装置１０５から当該作業者の対象業務リストを抽出する動作については、作業者制御装置１０５の動作フロー説明において詳細に説明する。そして、ステップＳ１２で抽出されたメッセージが、ステップＳ１３で抽出された業務リストに含まれるかどうかを判断する（ステップＳ１４）。含まれない場合には、ステップＳ１２で抽出されたメッセージの次のメッセージの存在を判別し（ステップＳ１６）、存在する場合にはステップＳ１２からのステップを繰り返す。存在しない場合には終了する。
【００６２】
一方、ステップＳ１４において、ステップＳ１２で抽出されたメッセージがステップＳ１３で抽出された業務リストに含まれる場合には、当該メッセージをクライアント１１１に送信し、このメッセージの受信に基づいて、クライアント１１はメッセージおよびメッセージに関連する選択業務一覧を表示部に表示する（ステップＳ１５）。
【００６３】
図７に、業務システム起動装置１０６の動作フローを示す。まず、クライアント１１１への作業者のアクセスにより、メッセージ表示装置１０４が起動対象となる業務システム１０８を選択する（ステップＳ１７）。業務システム起動装置１０６は、作業者制御装置１０５から業務システムアクセスタイプを抽出する（ステップＳ１８）。作業者制御装置１０５の詳細な動作フローについては、図８を参照して後述する。業務システム起動装置１０６は、ステップＳ１７で選択された業務システム１０８に向けて、ステップＳ１８で抽出されたアクセスタイプに基づいた画面制御信号を送信する（ステップＳ１９）。そして、業務システム１０８は、ステップＳ１９による画面制御信号の受信に基づいて、ステップＳ１９の業務システムアクセスタイプが適用された画面を表示する（ステップＳ２０）。
【００６４】
図８に、作業者制御装置１０５の動作フローを示す。作業者制御装置１０５は、メッセージ制御装置１０３またはメッセージ表示装置１０４から、対象作業者の業務リストの抽出を指示する信号を受信する（ステップＳ０６）。作業者制御装置１０５は、ステップＳ０６による業務リストの抽出を指示する信号の受信に基づいて作業者定義ファイル１０７から対象作業者の業務リストを抽出する（ステップＳ０７）。そして、作業者制御装置１０５は、依頼元装置へ対象作業者の業務リストを返却する（ステップＳ０８）。
【００６５】
あるいは、業務システム起動装置１０６から、対象作業者の業務システムアクセスタイプ情報の抽出を指示する信号を受信する（ステップＳ０９）。ステップＳ０９による業務システムアクセスタイプ情報の抽出を指示する信号の受信に基づいて、作業者制御装置１０５は、作業者定義ファイル１０７から対象作業者の業務システムアクセスタイプ情報を抽出する（ステップＳ１０）。そして、作業者制御装置１０５は、依頼元装置へ対象作業者の業務システムアクセスタイプ情報を返却する（ステップＳ１１）。
【００６６】
図９にメッセージ送信装置１１０の動作フローを示す。メッセージ送信装置１１０は業務システム１０８に備えられ、業務システム１０８を使用して作業を実施する作業者から、作業の完了および当該作業に関連した作業データ（メッセージキーのコンテンツ）を含むメッセージの送信依頼を行う（ステップＳ２１）。作業データ（メッセージキーのコンテンツ）が、送信依頼される当該メッセージに添付されるか否かについては、作業者の設定で決められる。
【００６７】
ステップＳ２１によるメッセージの送信依頼に基づいて、メッセージ送信装置１１０は、メッセージ制御ファイル１０１を読込み、メッセージを送信することのできる送信先リストを抽出する（ステップＳ２２）。ここで、メッセージを送信することのできる送信先リストは、メッセージ制御ファイル１０１の業務関係マスタ２１０に登録されている「元業務コード」、および「先業務コード」を参照して決定される。ステップＳ２２の実施に際しては、上記したように自動で送信先を選択することも、あるいはマニュアルで送信先を選択して送信することもできる。また、メッセージ送信装置１１０は、業務システムデータ１０９からメッセージキーのコンテンツを抽出する（ステップＳ２３）。メッセージ送信装置１１０から送信されるメッセージキーのコンテンツと、メッセージ制御ファイル１０１から送信されるメッセージおよびメッセージキーとに基づいて、メッセージ制御装置１０３は、メッセージ実行データ１０２に新たなメッセージおよびメッセージキーを格納する（ステップＳ２４）。メッセージ制御装置１０３の動作の詳細については、図１０を使用して後述する。メッセージ実行データ１０２にステップＳ２４による新たなメッセージおよびメッセージキーが格納されると、メッセージ表示装置１０４は、クライアント１１１にメッセージ送信完了を知らせる信号を送信する。このメッセージ送信完了を知らせる信号の受信に基づいて、クライアント１１１の表示部にはメッセージ送信完了が表示される（ステップＳ２５）。本実施の形態においては、メッセージの送信先として複数の業務システム１０８における作業者（クライアント）を選択することができる。このため、同一業務間におけるメッセージの伝達に限定されずに、複数の業務システム１０８における作業者（クライアント）に対して正確にメッセージを伝えられると共に、当該メッセージに関連データ（メッセージキー）を添付して送信することができ、業務の質の向上および効率化が実現される。
【００６８】
図１０にメッセージ制御装置１０３の動作フローを示す。
【００６９】
メッセージ制御装置１０３がメッセージ送信装置１１０からメッセージの送信を指示する信号を受信すると（ステップＳ０１）、このメッセージの送信を指示する信号の受信に基づいて、作業者制御装置１０５から対象作業者の業務リストを抽出する（ステップＳ０２）。作業者制御装置１０５による対象作業者の業務リスト抽出の動作フローについては、図８に示したステップ０６以降に記述した通りである。そして、対象作業者の業務リストの有無を判別する（ステップＳ０３）。対象業務リストが存在しない場合には、メッセージの送信処理は終了する。対象業務リストが存在する場合には、メッセージ制御装置１０３は、ステップＳ０２で抽出された業務リストおよびステップＳ２２で抽出された送信先リストに基づいてメッセージ制御ファイル１０１から送信メッセージを抽出する（ステップＳ０４）。そして、メッセージ制御装置１０３は、ステップＳ０４で抽出された当該メッセージをメッセージ実行データ１０２へ格納する（ステップＳ０５）。このとき、メッセージ送信装置１１０を介して、作業者がメッセージに添付データ（メッセージキー）を添付するか否かの設定がなされる。
【００７０】
図１１にメッセージ履歴表示器１１２の動作フローを示す。作業者がクライアント１１１による表示から、メッセージ履歴表示器１１２による表示に切り替える指示をメッセージ表示装置１０４に対して送信する。表示を切り替える指示をする信号の受信に基づいて、メッセージ履歴表示器１１２は、メッセージ実行データ１０２を読込み、対応する業務のメッセージを抽出する（ステップＳ２６）。メッセージ履歴表示器１１２は、抽出されたメッセージを業務単位及び時系列にソートする（ステップＳ２７）。そして、メッセージ履歴表示器１１２は、ソートされたメッセージ履歴を表示する（ステップＳ２８）。
【００７１】
（本発明の実施の形態２）
図１２は、本発明の実施の形態２に係わる業務メッセージ通信装置を備えた業務メッセージ通信システムの業務メッセージ通信システム表示器の概略構成を示す。
【００７２】
本実施の形態の業務メッセージ通信装置を備えた業務メッセージ通信システムの表示器２００は、同一画面上に、対象となる業務システム表示部１０８Ａ、１０８Ｂ、１０８Ｃ、それぞれの業務システム１０８に備えられたメッセージ送信装置１１０のメッセージ送信キー１１０Ａ，１１０Ｂ、１１０Ｃ、メッセージ送信先１１０Ｄ，１１０Ｅ、１１０Ｆ、クライアント１１１の表示部に対応するメッセージ表示部１２０、およびメッセージ表示からメッセージ履歴表示に切り替えるためのメッセージ履歴切替キー１１２Ａを備えている。
【００７３】
本実施の形態に係わる業務メッセージ通信装置を備えた業務メッセージ通信システムの基本的構成および動作原理は、本発明の実施の形態１のそれと同様である。但し，本実施の形態においては、実施の形態におけるクライアント１１１の表示部と、メッセージ履歴表示器１１２と、業務システム１０８の表示部およびメッセージ送信装置が１つの画面上に表示されるようになっている。これにより、作業者は、前工程や関連する業務システムの作業者からのメッセージや、関連業務に係わるメッセージ履歴、および実施する対象作業のオペレーションを全て同一作業画面で一括に確認および実施が出来るため、作業効率の向上が実現される。また、メッセージの不伝達が防止される。
【００７４】
本発明に係わる実施の形態が実現されることにより、メッセージにより業務プロセスの変化や組織変更といった環境の変化に対して、その都度個別のシステムを構築する必要がなくなる。業務プロセスの変更によるシステムの修正に対しては、本装置に設定するデータを変更することで対応可能となる。本発明は、このような業務プロセスの変更要求に対して、迅速に対応する機能を備える。つまり、業務プロセスの変化への適応については、図１のメッセージ制御ファイル１０１を図２の実施の形態のように定義し、その内容を変更することによって対応することが可能となる。また、組織の変更への適応については、図１の作業者定義ファイル１０７を図４のように定義することにより、組織変更に対応可能となる。
【００７５】
また、本発明の実施の形態により、クライアント１１１の表示画面上に作業者の作業選択リストをメッセージの一覧として表示でき、作業の抜け漏れを無くすことが可能となる。つまり、図５に示されるように、業務で連携するほかの作業者からの依頼を業務メッセージ通信装置１００によりメッセージとして送信することによって、次の作業者の作業すべき内容をクライアント１１１により一覧表示することが可能となる。作業者はこの一覧に基づいて作業を行うことで必然的に作業の抜け漏れを無くすことが可能となる。
【００７６】
また、本発明の実施の形態により、業務上必要な情報の伝達に関してメッセージ中にそのデータ（メッセージキー）を添付してメッセージを送信（次の作業者に業務を依頼）することにより、ペーパーレス化および業務の効率化が可能となる。つまり、図１のメッセージ制御ファイル１０１には、図２に示されるメッセージキーが定義されている。メッセージ制御装置１０３がメッセージを送信する際には、図３に示されるように、メッセージ（メッセージテーブル５００）とメッセージキー（管理キーテーブル５１０）を合わせて送信することが可能となる。
【００７７】
従来、作業者間におけるメッセージや作業データの伝達は、紙の帳票や電子メール等を媒介として行われていた。しかし本発明の実施の形態により、メッセージや作業データ等の情報をシステム的に格納および伝達することにより、作業者間の情報伝達の効率化が実現する。
【００７８】
また、本発明の実施の形態において、メッセージキーをメッセージと同時に送信して伝達することにより、次の作業者の操作ステップを軽減する。つまり、図１のクライアント（一般にはパーソナルコンピュータ）１１１に表示された作業者の選択作業リストの１つ１つのメッセージにはメッセージキーが添付可能である。このため、メッセージキーが添付されるメッセージから業務システム起動装置１０６を介して起動される業務システム１０８では、添付されるメッセージキーを参照することができる。このため、業務システム１０８においても、システム起動時にこのメッセージキーを利用して業務システムデータ１０９からあらかじめ業務に付随する必要なデータを抽出し、業務の高率化が実施される。
【００７９】
従来の業務システムにおいては、他の作業者から伝達された情報を用いて業務システムに新規入力や再入力をする必要があった。このため、業務システムの操作ステップの増大や、作業者の入力ミス等を誘発していた。本発明の実施の形態により、作業者の操作ステップを軽減するばかりでなく本来の作業者の業務に専念させることが可能となり、業務効率化を実現することができる。
【００８０】
また、本発明の実施の形態により、メッセージキーの値、またはそこから導出される業務システムデータ１０９の値の設定により、メッセージ自動分岐または作業者による送信先選定を実現する。これにより、伝達ロスや作業者による伝達先間違いが防止される。つまり、図１のメッセージ制御ファイル１０１の中で図２のように業務間のメッセージの定義が行われることにより、メッセージ送信装置１１０がメッセージ送信指示を送信する際に、送信先を業務に応じて自動選定することが可能となる。
【００８１】
また、本発明の実施の形態により、メッセージ送信した履歴を表示して、一連の業務プロセスの状態を参照することができる。これにより、エンドユーザに対して、例えば精度の高い納期回答等の情報を提供することができる。つまり、図１のメッセージ実行データ１０２を読み込み、既に各作業者から送信されたメッセージの内容を元に図３のメッセージＴＢＬ５００を業務単位かつ時系列に並べ替えて、メッセージ履歴表示器１１２にメッセージ履歴を一覧表示することで、随時一連の業務プロセスの進捗状況を表示することが可能となる。
【００８２】
さらに本発明は、複数の作業者が介在する一連の業務間をメッセージにより接続し、またその際に業務間の関連データを合わせて伝達することができる。これにより、例えば、製造業の生産管理業務などの業務プロセスの変更が頻繁に発生する分野に適用することができる。
【図面の簡単な説明】
【００８３】
【図１】本実施の形態に係わる業務メッセージ通信システムの概略構成を示す図である。
【図２】本実施の形態に係わるメッセージ制御ファイルの構成を示す図である。
【図３】本実施の形態に係わるメッセージ実行データの構成を示す図である。
【図４】本実施の形態に係わる作業者定義ファイルの構成を示す図である。
【図５】本実施の形態に係わる業務メッセージ通信システムにおける信号の流れおよびデータの流れを示す図である。
【図６】本実施の形態に係わるメッセージ表示装置の動作フローを示す図である。
【図７】本実施の形態に係わる業務システム起動装置の動作フローを示す図である。
【図８】本実施の形態に係わる作業者制御装置の動作フローを示す図である。
【図９】本実施の形態に係わるメッセージ送信装置の動作フローを示す図である。
【図１０】本実施の形態に係わるメッセージ制御装置の動作フローを示す図である。
【図１１】本実施の形態に係わるメッセージ履歴表示器の動作フローを示す図である。
【図１２】本実施の形態に係わる業務メッセージ通信システム表示器の概略構成を示す図である。
【符号の説明】
【００８４】
１００…業務メッセージ通信装置
１０１…メッセージ制御ファイル
１０２…メッセージ実行データ
１０３…メッセージ制御装置
１０４…メッセージ表示装置
１０５…作業者制御装置
１０６…業務システム起動装置
１０７…作業者定義ファイル
１０８…業務システム
１０８Ａ…業務システム１
１０８Ｂ…業務システム２
１０８Ｃ…業務システム３
１０９…業務システムデータ
１１０…メッセージ送信装置
１１０Ａ、１１０Ｂ、１１０Ｃ…メッセージ送信キー
１１０Ｄ、１１０Ｅ、１１０Ｆ…メッセージ送信先
１１１…クライアント
１１２…メッセージ履歴表示器
１１２Ａ…メッセージ履歴切替キー
１１５…バスライン
１１６…インタフェース部
１１７…ＣＰＵ
１１８…メモリ
１２０…メッセージ表示部
１５０…業務メッセージ通信システム
２００…業務メッセージ通信システム表示器
２１０…業務関係マスタ
２２０…メッセージマスタ
２３０…業務マスタ
２４０…グループ常設業務マスタ
２５０…業務仕分けマスタ
２６０…グループ受信業務マスタ
２７０…業務グループマスタ
２８０…管理キーリンクマスタ
２９０…管理キーマスタ
３００…業務処理マスタ
３１０…画面マスタ
５００…メッセージテーブル（ＴＢＬ）
５１０…管理キーテーブル（ＴＢＬ）
６００…ユーザマスタ
６１０…所属マスタ
【図１】
2006155105.tif 000003
【図２】
2006155105.tif 000004
【図３】
2006155105.tif 000005
【図４】
2006155105.tif 000006
【図５】
2006155105.tif 000007
【図６】
2006155105.tif 000008
【図７】
2006155105.tif 000009
【図８】
2006155105.tif 000010
【図９】
2006155105.tif 000011
【図１０】
2006155105.tif 000012
【図１１】
2006155105.tif 000013
【図１２】
2006155105.tif 000014